(57)【要約】安全なワイヤレスデータ処理のためのバッテリーフリーのアクティブおよびパッシブハイブリッドデバイス。少なくとも1つの安全な支払いと安全な非接触データ処理のための少なくとも1つのデータセグメントを保存するのに適した小さなアプリケーションプログラムとアクティブなオペレーティングユニットおよびセキュリティ要素を含みるパッシブ動作ユニットに動作可能に接続され、好ましくは、アクティブ動作ユニットは、セキュリティ要素に取り外し可能に接続されるように適合され、ハイブリッドデバイスは、アクティブ状態およびパッシブ状態にあるように構成される。アクティブ状態では、アクティブハイブリッドデバイスがアクティブデバイスとして機能し、パーソナライズ情報やデバイストークンをセキュアエレメントに設定するのに適しているように、オペレーティングユニットは必要に応じてアクティブ化される。ソース状態では、アクティブなオペレーティングユニットはハイブリッドデバイスがパッシブデバイスとして機能できるように非アクティブ化され、パッシブオペレーティングユニットがアクティブ化され、セキュアエレメントを介したデータ検証および/または非接触データ処理操作に適している。【選択図】図８
2021534529.tif 000002
【特許請求の範囲】
【請求項１】
安全なワイヤレスデータ処理のためのバッテリーフリーのアクティブおよびパッシブハイブリッドデバイス。少なくとも1つの安全なリンゴと少なくとも1つの安全な小さなアプリケーションプログラムを格納するのに適した少なくとも1つのデータセグメントと安全な非接触のための少なくとも1つのデータセグメントを含むデータ処理、およびアクティブ操作ユニットとパッシブ操作ユニットが動作可能に接続されているセキュリティ要素。好ましくは、アクティブ操作ユニットは、セキュリティ要素に取り外し可能に接続されるように適合されている、
ハイブリッドデバイスがアクティブ状態とパッシブ状態の間で切り替え可能であるように構成されている場合、アクティブ状態では、ハイブリッドデバイスがアクティブデバイスとして機能できるように、アクティブなオペレーティングユニットが必要に応じてアクティブ化され、構成に適している1つまたは複数の個人情報、生体認証データ、健康データ、政府関連のセキュリティデータ、ハードウェア固有のデータ、および/またはデバイスのセキュアエレメントへの支払いトークン。パッシブ状態では、アクティブオペレーティングユニットが非アクティブ化され、パッシブオペレーティングユニットが非アクティブ化される。ユニットは、ハイブリッドデバイスがパッシブデバイスとして機能できるようにアクティブ化され、データ検証および/またはセキュアエレメントを介した非接触データトランザクション操作に適している。
【請求項２】
前記アクティブ状態において、前記アクティブ動作ユニットは、電力伝達ユニットと動作可能に結合されることによってアクティブ化され、前記構成ユニットと相互作用するように電力伝達ユニットによって電力が供給される、請求項１に記載のハイブリッドデバイスは、好ましくは無線データ通信を実行する。スマートフォンを使用して、個人情報、生体データ、健康データ、政府関連のセキュリティデータ、ハードウェア固有のデータ、および/またはセキュリティ要素を構成ユニットに従って安全な要素に構成するために、デバイスの支払いトークン。
【請求項３】
前記受動状態において、前記受動動作ユニットは、データトランザクションユニット、好ましくはデータ処理端末と動作可能に結合されることによってアクティブ化され、データトランザクションユニットによってワイヤレスでアクティブ化される、請求項１または２に記載のハイブリッドデバイス。セキュアエレメントを介してデータトランザクションユニットとのデータ検証および/または非接触データトランザクション操作を実行するために電力を供給する。
【請求項４】
前記アクティブな動作ユニットは、前記第１の無線通信ユニットを含み、前記第１の無線通信ユニットは、構成ユニットと結合して無線データ通信を実行するように適合され、動作可能に結合される、請求項２から３のいずれか一項に記載のハイブリッドデバイス。結合された電力伝送ユニット、好ましくはスーパーコンデンサから電力を受信および／または蓄積するように適合された電力受信ユニットおよび／または過渡電力貯蔵ユニット。
【請求項５】
前記第１の無線通信ユニットは、ＷＩＦＩ、ＢＴおよび／またはＮＦＣをサポートする通信ユニットであり、好ましくは、接点、好ましくは防水および／または露出接点を有するＢＬＥユニットである、請求項４に記載のハイブリッドデバイス。
【請求項６】
前記電力伝達ユニットは、好ましくは、ＢＬＥユニットおよび／または固定またはロック部材の接点と接触および／またはインターロックするための接続部材を備えた、ＵＳＢ電力送信機である、請求項５に記載のハイブリッドデバイス。接続部材は、接続ピンまたはフックであることが好ましい。
前記パッシブ動作ユニット。
【請求項７】
前記第２の無線通信ユニット、好ましくは、データトランザクションユニットと結合し、前記無線データ通信を実行するのに適した、ＮＦＣをサポートする通信ユニットを備える、請求項３から６のいずれか一項に記載のハイブリッドデバイス。自己結合データトランザクションユニットがその動作電力およびデータトランザクションデータおよび信号を受信するための操作可能に結合されたアンテナユニット。
【請求項８】
前記第２の無線通信ユニットは、ＮＦＣパッシブターゲットユニットとして機能するＮＦＣ対応通信ユニットであり、ＮＦＣパッシブターゲットユニットは、ＮＦＣ開始ユニットとして機能するデータトランザクションユニットとして構成される、請求項７に記載のハイブリッドデバイス。その動作力を引き出す。
【請求項９】
前記アンテナユニットは、データトランザクションユニットによって生成されたデータ信号から動作電力を直接抽出するのに適した１０×２４ｍｍのサイズのアンテナを含み、前記アンテナユニットは含まない、請求項７または８に記載のハイブリッドデバイス。データ信号を増幅するアクティブブースターが含まれている。
【請求項１０】
前記安全要素、前記能動的動作ユニット、および前記受動的動作ユニットは、互いに動作可能に結合され、前記バッテリレスフレキシブルボードに設置されるように構成される、請求項１〜９のいずれか一項に記載のハイブリッドデバイス。非平面または曲面に簡単に取り付けられるか、湾曲した収容スペースに簡単に挿入または埋め込まれる、またはアクティブ操作ユニットが安全要素と取り外し可能に接続するのに適している、および/または動力伝達ユニットと統合される、および/または
ハイブリッドデバイスには、指紋、手のひら/指の静脈パターン、音声パターン、顔認識、DNA、掌紋、手の形状を読み取る、書き込む、および/または処理するための1つ以上の生体認証リーダー/センサーを含む生体認証用の生体認証ユニットも含まれる。 、虹彩認識および/または網膜関連の生体認証データ。
【請求項１１】
前記アクティブ動作ユニットは、動力送信または受信ユニットおよび／または動力伝達のためのインターフェースと組み合わされて、安全要素のためのユニバーサルパッシブ構成ユニットを形成する、請求項１に記載のハイブリッドデバイス。クリップまたはハンスピンの前端には下部も含まれ、下部には近位端に平坦部分、遠位端に凹部分があり、凹部分には複数の接続部材が設けられて実現されている。動力と信号の伝達;上部は下部にヒンジで固定され、開位置/状態を切り替える。 この開いた位置/状態では、その近位端は下部の近位端に接触するように構成され、その遠位端は遠位端から外れるように構成されている。 下部は、接続部材を陥凹部分および閉位置／状態に近づけるために使用され、その遠位端は下部の遠位端に接触するように構成され、近位構造は下部から分離され、その結果、接続部材と凹部は上部で覆われ隠されている。
【請求項１２】
安全な無線データ処理のためのバッテリーレスアクティブおよびパッシブハイブリッドデバイスを介して従来のウェアラブルデバイスに非接触データ処理機能を提供する方法。ハイブリッドデバイスは、安全なセキュリティ要素のために非接触データを保存するのに適した方法を含む。少なくとも１つの安全なアプレットと少なくとも１つのデータセグメントを処理し、アクティブな操作ユニットとパッシブな操作ユニットに動作可能に接続され、アクティブな操作ユニットは、好ましくは、安全な要素の接地接続から取り外し可能であるように適合され、方法は以下を含む。手順：
従来のウェアラブルデバイス上または中に、バッテリー不要のアクティブおよびパッシブハイブリッドデバイスをインストールまたは埋め込む。
ハイブリッドデバイスは、必要に応じてアクティブなオペレーティングユニットをアクティブ化することによってアクティブ状態に切り替えまたは設定されるため、ハイブリッドデバイスはアクティブデバイスとして機能でき、安全な要素は1つ以上の個人情報、生体認証データ、健康データ、政府関連のセキュリティデータ、ハードウェア固有のデータ、および/またはデバイストークン。
アクティブオペレーティングユニットを非アクティブ化し、パッシブオペレーティングユニットをアクティブ化/構成してハイブリッドデバイスをパッシブ状態に切り替えるか設定することにより、ハイブリッドデバイスがパッシブデバイスとして機能し、セキュアエレメントがデータ検証および/を実行するように構成される。または非接触データトランザクション操作。
【請求項１３】
前記アクティブ状態において、前記アクティブな動作ユニットは、電力伝達ユニットと動作可能に結合されることによってアクティブ化され、前記電力は、前記によって供給される、請求項１２に記載の従来のウェアラブルデバイスに非接触データ処理機能を提供する方法。個人情報、生体データ、健康データ、および健康データを構成ユニットに従って安全な要素に構成するための、構成ユニット、好ましくはスマートフォンとの無線データ通信用の電力転送ユニット。政府関連のセキュリティデバイスのデータ、ハードウェア固有のデータ、および/または支払いトークン、および/または
パッシブ状態では、パッシブオペレーティングユニットは、データトランザクションユニット、好ましくはデータ処理端末と動作可能に結合されることによってアクティブ化され、データトランザクションユニットによってワイヤレスで電力が供給され、セキュアを介してデータトランザクションユニットと通信する。要素。データトランザクションユニットは、データ検証および/または非接触データトランザクション操作を実行する。
【請求項１４】
前記アクティブな動作ユニットは、前記第１の無線通信ユニット、および前記第１の無線通信ユニット、前記受電ユニットおよび／または前記を含む、請求項１２から１３のいずれか一項に記載の従来のウェアラブルデバイスに非接触データ処理機能を提供する方法。または、結合された電力伝達ユニットから電力を受信および／または蓄積するように適合された過渡電力貯蔵ユニットおよび／または過渡電力貯蔵ユニット、好ましくはスーパーコンデンサは、構成ユニットと結合されて無線データ通信を実行するように適合される。
【請求項１５】
前記第１の無線通信ユニットは、ＷＩＦＩ、ＢＴおよび／またはＮＦＣをサポートする通信ユニットであり、好ましくは、接触を有するＢＬＥユニットである、請求項１４に記載の従来のウェアラブルデバイスに非接触データ処理機能を提供する方法。 、好ましくは防水および/または露出接点。
【請求項１６】
前記電力伝達ユニットは、好ましくは、ＢＬＥユニットとの接触を備えたＵＳＢ電力送信機である、請求項１５に記載の従来のウェアラブルデバイスに非接触データ処理機能を提供するための方法接続部材および／または固定装置またはロック部材は、接触および／またはインターロックされており、接続部材は、好ましくは、接続ピンまたはフックである。
【請求項１７】
前記パッシブ動作ユニットは、第２の無線通信ユニット、好ましくはＮＦＣをサポートする通信ユニットを含む、請求項１３から１６のいずれか一項に記載の従来のウェアラブルデバイスに非接触データ処理機能を提供する方法。データトランザクションユニットと無線データ通信を実行し、自己結合データトランザクションユニットのアンテナユニットを動作可能に結合して、その動作電力およびデータトランザクションデータおよび信号を受信する。
【請求項１８】
前記第２の無線通信ユニットは、ＮＦＣパッシブターゲットユニットとして機能するＮＦＣ対応通信ユニットであり、ＮＦＣパッシブターゲットユニットである、請求項１７に記載の従来のウェアラブルデバイスに非接触データ処理機能を提供する方法。 NFC開始ユニットとしてのデータトランザクションユニットからその動作電力を引き出すように構成されている、および/または
アンテナユニットは、データトランザクションユニットによって生成されたデータ信号から動作電力を直接抽出するのに適した１０×２４ｍｍのサイズのアンテナを含み、データ信号を増幅するためのアクティブブースターを含まない。
【請求項１９】
前記安全な要素、前記アクティブな動作ユニット、および前記パッシブな動作ユニットは、互いに動作可能に結合されるように構成される、請求項１２〜１８のいずれか一項に記載の従来のウェアラブルデバイスに非接触データ処理機能を提供する方法。非平面または曲面に簡単に取り付けたり、湾曲した収容スペースに簡単に挿入または埋め込んだりするのに適した、バッテリー不要のフレキシブルボードに取り付けられる。または、アクティブオペレーティングユニットは、安全要素と取り外し可能に接続するのに適している。 /または動力伝達ユニットと統合されている;および/または
ハイブリッドデバイスには、指紋、手のひら/指の静脈パターン、音声パターン、顔認識、DNA、掌紋、手の形状を読み取る、書き込む、および/または処理するための1つ以上の生体認証リーダー/センサーを含む生体認証用の生体認証ユニットも含まれる。 、虹彩認識および/または網膜関連の生体認証データ。
【発明の詳細な説明】
【技術分野】
【０００１】
本開示は、モバイル決済またはデータ処理などの安全な非接触トランザクション方法およびシステム、より具体的には、安全なコンポーネントが安全なバッテリレスアクティブおよびパッシブハイブリッドデバイスをアクティブ化および実行するためのユニバーサルパッシブ構成ユニットおよび方法に関する。ワイヤレス非接触データアプリケーション、操作または通信。
【背景技術】
【０００２】
EMVは、1994年に創設者（Europay、MasterCard、Visa）にちなんで名付けられ、現在、NFCモバイルおよび非接触型決済に使用できるクレジットカードおよびデビットカードのトランザクションの一連のセキュリティ基準を定義している。 「EMVカード」または「EMVクレジットカード」は、スマートチップを使用して磁気ストリップを置き換え、トランザクションの処理に必要なデータを保存しる。 EMVは、クレジットカードとモバイル決済に強化されたセキュリティとグローバルな相互運用性をもたらしる。 EMVカードのチップは、磁気ストライプクレジットカードよりもはるかに高度なID検証機能を備えている。本質的に、完全に機能するコンピュータシステムが各EMVカードに組み込まれている。チップは改ざんされにくいため、クローンを作成することはほとんど不可能である。
【０００３】
EMVは、対面（店内）の偽造カード詐欺の防止にほぼ100％効果的であるため、非接触型EMVカードのクリックアンドクリックの利便性により、クレジットカードのロイヤルティと消費が増加する可能性がある。したがって、ＥＭＶカードなどを、非接触またはモバイル決済操作のための様々なモバイルウェアラブルデバイスに組み込むことが望ましい。
【０００４】
モバイルEMVを介して、顧客のアカウント資格情報がNFC対応の携帯電話またはウェアラブルデバイスに直接読み込まれる。これらは非接触EMVと同じくらい安全ですが、利便性が高く、使用の機会が多くなりる。
【０００５】
具体的には、既存の非接触型決済システムは、EMVクレジットカードまたは同等のカード（UnionPayカードなど）を使用し、ワイヤレス通信モジュール（NFCなど）を使用して安全な支払いを行い、安全なスマートフォンなどのスマートモバイルデバイスです。コンポーネント。スマートウォッチなど。
【０００６】
非接触型決済システムに組み込まれたチップとアンテナにより、ユーザーはスマートフォンやスマートウォッチをPOS端末のリーダーにかざすことで低価格の取引を行うことができる。お金を数えたり、面倒な財布を取り出して現金で支払う必要がなくなったので、お金を数えるときに長い列があなたを見つめるという厄介な瞬間がなくなりる。世界のファストフードチェーンとコンビニエンスストアは、非接触型決済取引にPOS端末を使用している。
【０００７】
スマートウォッチなどの安全な要素を使用する非接触型決済システムで使用されるスマートモバイルデバイスには、ほとんどの場合、内蔵の強力なバッテリーから電力を供給する必要のある非接触型アクティブ決済ユニットまたはモジュールが含まれる。しかし、さまざまな理由から、多くの人はスマートウォッチを使用したくなく、従来の時計を使用することを好む。さらに、スマートモバイルデバイスに使用されている既存のセキュリティ要素は、非接触型決済システムに加えて、他のタイプの安全な非接触データ処理または通信システムで使用できる。これは非常に望ましいことである。
【発明の概要】
【０００８】
本開示は、安全な非接触データ処理およびアクティブで動作するための少なくとも１つの安全なアプレットを格納するのに適した少なくとも１つの安全なアプレットおよび少なくとも１つのデータセグメントを含む、安全なデータ処理のためのバッテリレスアクティブおよびパッシブハイブリッドデバイスに関する。ユニットおよびパッシブ操作ユニットは、セキュリティ要素に動作可能に接続され、好ましくは、アクティブ操作ユニットは、セキュリティ要素に取り外し可能に接続されるように適合され、ハイブリッドデバイスは、アクティブ状態にあり、切り替えなしで構成されるように構成される。ソース状態;アクティブ状態では、アクティブなオペレーティングユニットが必要に応じてアクティブ化されるため、ハイブリッドデバイスはアクティブなデバイスとして機能し、セキュリティ要素情報、生体識別データ、健康データなどに対して1人以上の個人を構成するのに適している。政府関連のセキュリティデータ、ハードウェア固有のデータ、および/またはデバイスの支払いトークン。パッシブ状態では、アクティブなオペレーティングユニットが無効になり、ソースオペレーションユニットがアクティブ化/構成されて、ハイブリッドデバイスが次のように機能できるようになりる。パッシブデバイスであり、セキュアエレメントを介したデータ検証および/または非接触データトランザクション操作に適している。ハイブリッドデバイスはバッテリーレスであり、必要に応じて起動できるため、従来の時計などに組み込んで非接触型決済機能を提供することができる。
【０００９】
本開示はまた、安全な非接触データトランザクションのためのバッテリレスアクティブおよびパッシブハイブリッドデバイスを介して従来のウェアラブルデバイスに非接触データ処理機能を提供する方法に関する。ハイブリッドデバイスは、安全のための保管に適したデバイスを含む。少なくとも１つの安全な支払いアップルと非接触データトランザクションのための少なくとも１つのデータセグメント、およびアクティブオペレーティングユニットとパッシブオペレーティングユニットに動作可能に接続されたセキュアエレメント、アクティブオペレーティングユニットは、好ましくは、セキュアと通信するように適合されている。この方法には、以下のステップが含まれる。従来のウェアラブルデバイス上または中にバッテリーレスアクティブおよびパッシブハイブリッドデバイスをインストールまたは埋め込む。必要に応じてアクティブオペレーティングユニットをワイヤレスにすることにより、ハイブリッドデバイスをアクティブ状態に切り替えるまたは設定するための地上起動。ハイブリッドデバイスがアクティブデバイスとして機能し、1つ以上の個人情報、生体データ、健康データ、政府関連のセキュリティデータ、ハードウェア固有のデータ、および/またはデバイスの支払いトークンを使用して安全な要素を構成できること。アクティブオペレーティングユニットを非アクティブ化し、パッシブオペレーティングユニットをアクティブ化/構成してハイブリッドデバイスを切り替えまたは構成するハイブリッドデバイスがパッシブデバイスとして機能できるようにパッシブ状態に設定され、データ検証および/またはセキュアエレメントが構成される。安全な要素を介した非接触データトランザクション操作。
【００１０】
いくつかの実施形態では、アクティブ状態では、アクティブ動作ユニットは、電力転送ユニットと動作可能に結合されることによってアクティブ化され、電力転送ユニットによって電力が供給されて、構成ユニットと、好ましくはスマートフォンと相互作用する。無線データ通信を実行するには、構成ユニットに従って、個人化情報、生体識別データ、健康データ、政府関連のセキュリティデータ、ハードウェア固有のデータ、および／またはデバイスのトークンを安全な要素に構成するため。アクティブなオペレーティングユニットを使用すると、ユーザーは、新しい支払いカードの個人情報、他のセキュリティデータ、または安全なコンポーネントの小さなアプリケーションを構成することにより、他の支払いカードまたはセキュリティアプリケーションを使用できる。
【００１１】
いくつかの他の実施形態では、受動状態において、受動動作ユニットは、データトランザクションユニット、好ましくはデータトランザクション端末と動作可能に結合されることによってアクティブ化され、データ検証および／またはデータ検証および／またはデータトランザクションユニットによって無線で電力が供給される。非接触型決済のトランザクション操作は、セキュアエレメントとデータトランザクションユニットを介して実行される。
【００１２】
本開示によるハイブリッドデバイスのいくつかの実施形態では、アクティブ動作ユニットは、第１の無線通信ユニットを含み、第１の無線通信ユニットは、構成ユニットと結合され、無線データ通信を実行するように適合され、動作可能に結合される。結合された電力伝送ユニット、好ましくはスーパーコンデンサから電力を受信および／または蓄積するように適合された電力受信ユニットおよび／または過渡電力貯蔵ユニット。いくつかの実施形態では、過渡電力貯蔵ユニットは省略できるが、オプションの過渡電力貯蔵ユニットの組み合わせは、電力伝達ユニットがアクティブな動作ユニットから切断されたときにハイブリッドデバイスがアクティブデバイスとして継続することを可能にすることができる。いくつかの特定のアプリケーションにとって望ましい場合がある。
【００１３】
いくつかの実施形態では、第１の無線通信ユニットは、ＷＩＦＩ、ＢＴおよび／またはＮＦＣをサポートする通信ユニットであり、好ましくは、接点、好ましくは防水および／または露出接点を備えたＢＬＥユニットである。好ましくは、電力伝送ユニットは、ＵＳＢ電力送信機であり、上記は、好ましくは、接続部材および／またはＢＬＥユニットの接点と接触および／またはインターロックするための固定またはロック部材を備えており、接続部材は、接続部材である。好ましくは、それは接続ピンまたはフックである。
【００１４】
いくつかの実施形態では、受動動作ユニットは、第２の無線通信ユニット、好ましくはＮＦＣをサポートする通信ユニットを含み、これは、データトランザクションユニットと結合し、無線データ通信を実行し、アンテナユニットを動作可能に結合するのに適しているので、アンテナユニットが使用される。自己結合データトランザクションユニットがその動作電力とデータトランザクションデータおよび信号を受信するため。
【００１５】
いくつかの実施形態では、第２の無線通信ユニットは、ＮＦＣパッシブターゲットユニットとして機能するＮＦＣ対応通信ユニットであり、ＮＦＣパッシブターゲットユニットは、ＮＦＣ開始ユニットとしてのデータトランザクションユニットからその動作電力を引き出すように構成される。好ましくは、アンテナユニットは、１０×２４ｍｍのサイズのアンテナを含み、これは、データトランザクションユニットによって生成されたデータ信号から動作電力を直接抽出するのに適しており、データ信号を増幅するためのアクティブブースターを含まない。
【００１６】
いくつかの実施形態では、安全要素、アクティブ動作ユニット、およびパッシブ動作ユニットは、互いに動作可能に結合され、非平面に容易に取り付けるのに適したバッテリのない可撓性ボードに取り付けられるように構成される。曲面は、湾曲した収容スペースに簡単に挿入または埋め込むことができる。または、アクティブな操作ユニットは、安全要素と取り外し可能に接続され、および/または電力伝送ユニットと統合されるように適合される。および/または混合デバイスには、生体認証も含まれる。指紋、手のひら/指の静脈パターン、音声パターン、顔認識、DNA、掌紋、手の形状、虹彩認識、および/または網膜を読み取り、書き込み、および/または処理するための1つ以上の生体認証リーダー/センサーを含む生体認証用ユニット関連する生体認証データ。
【００１７】
いくつかの実施形態では、能動動作ユニットは、動力伝達または受信ユニットおよび／または動力伝達のためのインターフェースと組み合わされて、基本的にクリップまたはハンサチピンである安全要素のためのユニバーサルパッシブ構成ユニットを形成するフロントエンドの形態部分は下部も含み、下部は近位端に平坦部分、遠位端に凹部分を有する。凹部分には、動力と信号の伝達を実現するために複数の接続部材が設けられている。ヒンジ付きチェーンは下部に接続され、開位置/状態を切り替える。この開いた位置/状態では、その近位端は下部の近位端に接触するように構成され、その遠位端は遠位端から外れるように構成されている。下部は、接続部材を凹部および閉位置／状態に近づけるために使用され、遠位端は下部の遠位端に接触するように構成され、近位構造は下部から分離され、その結果、接続部材と凹部は上部で覆われて隠れている。
【００１８】
本開示によって提供されるハイブリッドデバイスは、単純な構造、合理的な設計、高い快適性および低コストを有するため、従来のウェアラブルデバイスと適切に統合でき、安全なワイヤレス支払いおよび安全なワイヤレスデータトランザクションまたは通信のための多目的を提供するウェアラブルデバイス。
【図面の簡単な説明】
【００１９】
本開示は、添付の図面を参照して以下で詳細に説明される。
【図１】本開示の好ましい実施形態による、バッテリレスのアクティブおよびパッシブハイブリッドデバイスのブロック図である。
【図２】本開示の別の好ましい実施形態による、バッテリレスアクティブおよびパッシブハイブリッドデバイスのブロック図である。
【図３】本開示の別の好ましい実施形態による、バッテリレスアクティブおよびパッシブハイブリッドデバイスを介して従来のウェアラブルデバイスに非接触支払い機能を提供するための方法のフローチャートである。
【図４】本開示の別の好ましい実施形態による、バッテリレスアクティブおよびパッシブハイブリッドデバイスのブロック図である。
【図５】本開示の別の好ましい実施形態による、バッテリレスアクティブおよびパッシブハイブリッドデバイスのブロック図である。
【図６】本開示の好ましい実施形態による、バッテリレスアクティブおよびパッシブハイブリッドデバイスを使用する時計バンドの概略図である。
【図７】本開示の別の好ましい実施形態による、バッテリレスアクティブおよびパッシブハイブリッドデバイスを使用する時計ストラップの概略図である。
【図８】本開示の別の好ましい実施形態による、バッテリレスのアクティブおよびパッシブハイブリッドデバイスのブロック図である。
【図９】本開示の別の好ましい実施形態による、バッテリレスのアクティブおよびパッシブハイブリッドデバイスのブロック図である。
【図１０ａ】本開示の好ましい実施形態による、バッテリレスアクティブおよびパッシブハイブリッドデバイスによって採用される一般的なパッシブ構成ユニットの概略図である。
【図１０ｂ】本開示の別の好ましい実施形態による、バッテリレスアクティブおよびパッシブハイブリッドデバイスによって採用されるクランプタイプのユニバーサルパッシブ構成ユニットの概略図である。
【発明を実施するための形態】
【００２０】
本開示の目的、技術的解決策、および利点をより明確にするために、本開示は、添付の図面および実施形態を参照して以下でさらに詳細に説明される。
【００２１】
本開示は、バッテリフリーで曲げ可能／柔軟なアクティブパネル環境における安全な要素上のＥＭＶＣｏ支払いアプレット構成プログラムのためのデバイスおよび方法に関する。関連用語「EMVCo」または「EMV」は、Europay、MasterCard、Visaなどで構成されるコンソーシアムを指しる。「SE」は安全な要素を意味し、「NFC」は近距離無線通信または関連プロトコルを意味し、「BLE」はBluetoothLowを意味しる。エネルギーまたは同様のもの、および「支払いapplets」は、SEに存在する非接触アプリケーションを指しる。
【００２２】
さらに、「フレキシブル/フレキシブルアクティブボード」という用語は、安全な決済アプレットとトークンを格納するためのSE、ペアのデバイスと通信するためのBluetoothモジュールを含む、曲げ可能な特性/プロパティを備えたプラットフォーム/デバイスを意味しる。電力/電力を受信するNFC誘導アンテナNFCのPOS端末から電力を供給し、SEに電力を供給しる。外部電源から電力を受け取り、Bluetoothモジュールのワイヤレスインターフェイスをオンデマンドで有効にするために使用される。
【００２３】
対応する用語「API」はアプリケーションプログラミングインターフェイスを意味し、「PAN」はペイメントカードのメインアカウントを意味し、「トークン/トークン」はPANの代替/代替であり、「トークン/トークンサービス」はペイメントネットワークソリューションからのAPI製品を意味する。 VisaとMastercardに限定される。その主な機能は、支払いカードPANを代替品と交換し、これらの支払いアカウントを管理することです。「トークンバンド」とは、支払いトークンのストレージを指しる。アクティブまたはパッシブウェアラブルデバイスまたはコード/ベルト。「トークンドック/トークンドック」 」とは、トークンストラップにワイヤレスで電力/電気を送信できる独立した電源ドッキングシステムを意味しる。「基本的なウェアラブルデバイス」とは、サードパーティアプリケーションの読み込みをサポートしないウェアラブルデバイスを指し、「スマートウェアラブルデバイス」とは、ウェアラブルを指す。サードパーティアプリケーションのロードをサポートできるデバイス。
【００２４】
さらに、本明細書で使用される「パッシブ構成ユニット」、「パッシブデータ構成ユニット」という用語、または「アクティブ操作ユニット」という用語は、安全な要素を含むデバイスがデバイスを使用できるようにするパッシブまたはバッテリフリーのデバイスまたはコンポーネントを指す。または部品。それは、オンデマンドでアクティブデバイスとして動作するように動作可能に接続、結合、または調整することができ、1つまたは複数の個人情報データ、生体測定データ、健康データ、政府関連の安全性データ、ハードウェア固有のデータ、および/またはAを提供するのに適している安全な要素へのデバイス/機器の電子的および/または信号接続のトークン。「パッシブオペレーティングユニット」という用語は、効果的に接続、結合、または協調されたデバイスをアクティブ化できるパッシブまたはバッテリーレスのデバイスまたはコンポーネントを指しる。オンデマンドでパッシブデバイスとして機能し、データ検証および/または安全な要素を介した支払いトランザクション操作などの非接触データトランザクション操作に適している。
【００２５】
図１に示されるのは、本開示の好ましい実施形態によるバッテリレスアクティブおよびパッシブハイブリッドデバイスのブロック図である。ブロック図によれば、安全なワイヤレス支払いのためのハイブリッドデバイスは、保管に適した安全な要素２０を含む。少なくとも１つの安全な支払いアップルおよび安全な非接触支払いのための少なくとも１つのトークンは、アクティブデータ構成ユニット／アクティブオペレーティングユニット１０およびパッシブオペレーティングユニット３０に動作可能に接続されている。
【００２６】
必要な動作要件およびさまざまな動作の条件に応じて、ハイブリッドデバイスはアクティブ状態とパッシブ状態の間で切り替え可能に構成される。アクティブ状態では、アクティブ動作ユニット１０は、必要に応じてアクティブ化され、好ましくは、例えば、外部電源またはスターター／アクティベーターによって無線でアクティブ化されるので、ハイブリッドデバイスは、アクティブデバイスとして機能でき、より要求の厳しいものに適している。高い安定した電力消費を伴う様々な操作は、支払いカードおよび／またはデバイスの支払いトークンの個人化された情報を安全な要素に提供するのに特に適している。この点で、アクティブなオペレーティングユニットにより、ハイブリッドデバイスはエンドユーザーがサードパーティのアプリケーションをインストールおよびロードできるようになる。
【００２７】
パッシブ状態では、アクティブオペレーティングユニットが非アクティブ化および/または外部スターターから分離され、パッシブオペレーティングユニットがアクティブ化されて、ハイブリッドデバイスをパッシブデバイスとして使用し、比較的低い電力または瞬間的な電力を必要とするアプリケーションに適したものにすることができる。電力/電力を消費するさまざまな操作は、安全な要素を介した支払いトークンの検証および/または非接触型支払いトランザクション操作に特に適している。パッシブデバイスでの作業に適した操作から、より低いまたは瞬時の操作電力を変更できる。マッチングデバイスを予約して取得する。 。
【００２８】
図１に示される実施形態などのいくつかの実施形態では、アクティブ状態にあるとき、アクティブ動作ユニット１０は、ワイヤレス電力伝送ユニット６０と動作可能に結合されることによってアクティブ化され、ワイヤレスデータを実行するために電力伝送ユニットによって電力が供給される。専用機、セキュアエレメント２０にデータを設定するための専用モジュールを備えたコンピュータ、またはスマートデバイスまたはモバイルデバイスなどのコンフィギュレーションユニットとの通信。これにより、コンフィギュレーションユニットに従ってセキュアエレメントを構成する。個人情報デバイスの支払いカードおよび/または支払いトークンの。
【００２９】
図１に示される実施形態などのいくつかの実施形態では、受動状態にあるとき、受動操作ユニット３０は、専用の機械端末などの支払い取引ユニット５０、およびセキュアと動作可能に結合されることによってアクティブ化される。要素20は、非接触型決済トランザクション専用のモジュールであるコンピューター、スマート、またはモバイルデバイスであり、決済トランザクションユニットによってワイヤレスで電力が供給されるため、決済トークンの検証と検証は、安全なエレメントを介して決済トランザクションユニットで実行できる。支払いトランザクションユニット/または非接触支払いトランザクション操作。
【００３０】
いくつかの実施形態では、アクティブな動作ユニットは、個人化情報および支払いトークン構成ユニットと結合し、ワイヤレスデータ通信を実行するように適合された第１のワイヤレス通信ユニットを含む。第１の無線通信ユニットは、無線受電ユニットおよび／または結合された無線電力伝送ユニット、好ましくはスーパーキャパシタから電力を受信および／または蓄積するように適合された過渡電力貯蔵ユニットに動作可能に結合されて、完了することができる。ハイブリッドデバイス高い安定した動作電力を必要とする日常的および特定の操作。
【００３１】
いくつかの実施形態では、第１の無線通信ユニットは、ＷＩＦＩ、ＢＬＥおよび／またはＮＦＣをサポートする通信ユニットである。
【００３２】
いくつかの実施形態では、パッシブ動作ユニットは、支払いトランザクションユニットと結合して無線データ通信を実行するように適合され、アンテナユニットと動作可能に結合されて、結合された支払いトランザクションユニットからその動作電力を受け取る第２の無線通信ユニットを含む。支払いトランザクションデータとシグナル。
【００３３】
いくつかの実施形態では、第２の無線通信ユニットは、ＮＦＣ開始ユニットとして機能する支払いトランザクションユニットからその動作電力を引き出すように構成されたＮＦＣパッシブターゲットユニットとして機能するＮＦＣ対応通信ユニットである。
【００３４】
他の実施形態では、第１の無線通信ユニットおよび第２の無線通信ユニットは、ＮＦＣをサポートする両方または同じ通信ユニットであり、すなわち、第１の無線通信ユニットおよび構成ユニットは、両方ともアクティブモードＮＦＣ通信ユニットである。ポイントツーポイントモードが機能する。これにより、2つのアクティブモードのNFC対応デバイスが相互に通信して、アドホックな方法で情報を交換できる。そのうちの1つは、データを待機している間、RF電界を非アクティブにする。
【００３５】
いくつかの実施形態では、アンテナユニットは、１０×２４ｍｍのサイズのアンテナを含む。このサイズは、支払いトランザクションユニットとの安定した信頼性の高いデータ通信にとって非常に望ましいものである。小型または小型のアンテナを使用する一部の従来技術のデバイスに見られるように、パッシブ性を確保するためにアンテナブースターと組み合わせる必要はありません。正しい操作オペレーティングユニット。アンテナのサイズが大きい場合、ハイブリッドデバイスは、従来の時計や宝飾品など、一部の従来のウェアラブルデバイスに統合できない。
【００３６】
いくつかの実施形態では、安全要素、アクティブ操作ユニット、およびパッシブ操作ユニットは、互いに動作可能に結合され、非平面または湾曲に容易に取り付けられるのに適した可撓性ボード／フレックスボードに取り付けられるように構成される。表面または湾曲した収容スペースに挿入または埋め込むのは簡単である。
【００３７】
ここで図２を参照すると、本開示の別の好ましい実施形態によるバッテリレスアクティブおよびパッシブハイブリッドデバイスのブロック図が示されている。ブロック図によれば、安全な無線支払いのためのハイブリッドデバイスは、安全な要素２００、これは、安全な非接触型決済のために少なくとも1つの安全な支払いアップルと少なくとも1つのトークンを格納し、QiとBLEをサポートするアクティブなオペレーティングユニットとNFCをサポートするパッシブなオペレーティングユニットに動作可能に接続されている。
【００３８】
図２に示される実施形態などのいくつかの実施形態では、アクティブ動作ユニットは、Ｑｉ標準電力受信機を含むＱｉ対応ＢＬＥユニット１００であり、ワイヤレス電力伝送ユニットは、Ｑｉ標準電力送信機／電力送信ユニットである。デバイスのＱｉ支持電力伝送ユニット６００は、構成ユニット、すなわち、図２に示されるようなスマートフォン４００との無線データ通信のために、ＢＬＥユニットに無線で電力を供給するために使用される。パッシブ動作ユニットは、ＮＦＣパッシブターゲットユニット３００であり、これは、支払いトランザクションユニット、すなわち、ＰＯＳ端末５００と動作可能に結合され、それによって無線で電力が供給され、支払いトランザクションユニットからその動作電力を引き出すように構成される。 ＮＦＣ開始ユニットとして、安全な要素２００を介して支払いトランザクションユニットとの支払いトークン検証および／または非接触支払いトランザクション操作を実行するためである。
【００３９】
また、図２に示すハイブリッドデバイスでは、セキュアエレメント２００、Ｑｉ支持ＢＬＥユニット１００、ＮＦＣパッシブターゲットユニット３００が動作可能に結合され、屈曲可能／可撓性ボード７００に搭載されている。簡単に適している非平面または曲面に設置するか、湾曲した収容スペースに挿入または埋め込みが簡単である。
【００４０】
いくつかの実施形態では、ハイブリッドデバイスは、非接触型決済取引のためにユーザーの時計の元のストラップまたはバックルを交換するために、従来の時計のストラップまたはストラップバックルに取り付けられ、好ましくは埋め込まれ、および他の適用可能な操作により、ユーザーは、時計の新しい交換可能な部品が提供する非接触型決済機能を活用しながら、従来の方法で時計を使用されたい。
【００４１】
従来の時計には、主に時計バンドまたはリストバンドに接続された外殻の機械部品と金属材料が含まれている。リストバンドは、革、プラスチック、金属など、さまざまな素材で作ることもできる。通常の状況では、ウェアラブルデバイスのこの部分にスマート機能（支払いアプレットなど）を追加するには、外部デバイス（スマートフォンなど）と通信できるようにバッテリーを使用する必要がありる。
【００４２】
従来のウェアラブル製品に統合バッテリー電源を追加する際の課題または問題は次のとおりです。
【００４３】
-バッテリーが剛性であり、その配置がスペースを占有し、不要な厚さを増やし、美観とデザインに影響を与えるデザインと美的問題。
【００４４】
-充電式バッテリーを継続して使用するには、デバイスを接続するためのケーブルアクセサリなどの追加のコンポーネントとインターフェイスが必要であり、最終製品の美観と製造コストに影響を与える、バッテリー充電の問題。
【００４５】
-バッテリーの交換の問題。バッテリーが充電可能かどうかに関係なく、すべてのバッテリーの寿命が限られており、交換する必要がある。
【００４６】
-防水の問題。バッテリーと充電ケーブルのインターフェースをカプセル化すると、デバイス全体の防水機能が制限される。
【００４７】
したがって、本発明によって提案される技術的解決策は、明らかに上記の技術的問題を解決することができ、必要に応じて従来の基本的なウェアラブル製品（時計および宝石を含むがこれらに限定されない）に電力を供給し、一体型電池への依存および必要性を排除することができる。本開示は、統合されたバッテリ電源を必要とせずに、従来の基本的なウェアラブル製品にＮＦＣ支払い機能を追加するための独自の／独自の支払いトークン構成手順を実装できる柔軟なボードを組み込んでいる。バッテリをウェアラブルデバイスから分離し、ブルートゥースまたは同様の技術を介してスマートデバイスと通信する能力を有する能力は、先行技術における上記のすべての課題または問題を克服するために不可欠である。
【００４８】
安全なワイヤレス支払いのためのバッテリーレスアクティブおよびパッシブハイブリッドデバイスを介して従来のウェアラブルデバイスに非接触支払い機能を提供する方法のフローチャートを示す図３は、ハイブリッドデバイスは、少なくとも１つの安全な支払いアプレットと少なくとも１つの安全な支払いアプレットを格納する安全な要素を含む。安全な非接触型決済のための１つのトークンであり、パッシブデータ構成ユニット／アクティブオペレーションユニットおよびパッシブオペレーションユニットに動作可能に接続され、アクティブオペレーションユニットは、好ましくは、セキュリティ要素に取り外し可能に接続されるように適合され、方法は、以下のステップを含む。 
【００４９】
従来のウェアラブルデバイス（801）に、バッテリーレスのアクティブおよびパッシブハイブリッドデバイスをインストール/埋め込む。
【００５０】
ハイブリッドデバイスをアクティブ状態に切り替える／設定して、安全な要素が、支払いカードの個人化情報および／またはデバイスの支払いトークン（８０２）で構成されるようにする。
【００５１】
ハイブリッドデバイスは、パッシブ状態に切り替えられる／設定されるので、安全な要素は、支払いトークン検証および／または非接触支払いトランザクション操作を実行するように構成される（８０３）。
【００５２】
いくつかの実施形態では、前述の方法は、以下のステップのうちの１つまたは複数を含む。
【００５３】
従来のウェアラブルデバイスにインストールする前に、1つまたは複数の生体認証センサー（以下でさらに詳しく説明しる）をハイブリッドデバイスと組み合わせる。
【００５４】
BLEを介してハイブリッドデバイスをモバイルデバイスとペアリングして、モバイルデバイスから1つまたは複数の支払いカードの1つまたは複数の追加のパーソナライズされた情報を受信し、セキュアエレメントを使用して1つまたは複数の追加の構成操作を実行する。
【００５５】
二次認証用のハイブリッドデバイスと組み合わせた生体認証センサーをアクティブにして、安全な要素の構成プロセス、支払いトークンの検証、および/または非接触型支払いトランザクション操作を実行しる。
【００５６】
いくつかの実施形態では、前述の方法は、以下のステップを含む：
【００５７】
従来のウェアラブルデバイス上/中に、バッテリー不要のアクティブおよびパッシブハイブリッドデバイスをインストール/埋め込む。
【００５８】
必要に応じてアクティブなオペレーティングユニットをワイヤレスでアクティブ化するか、接続可能および取り外し可能または取り外し可能/取り外し可能に接続された外部電力伝送ユニットによってアクティブ化できるようにすることで、ハイブリッドデバイスをアクティブ状態に切り替える/設定するハイブリッドデバイスをアクティブなデバイス、および支払いカードの個人情報および/またはデバイスの支払いトークンを構成するためのセキュア要素を構成する。
【００５９】
必要に応じてアクティブオペレーティングユニットをワイヤレスで非アクティブ化するか、外部電力伝送ユニットから分離/デカップリングし、パッシブオペレーティングユニットをアクティブ化/構成してハイブリッドデバイスをパッシブ状態に切り替え/設定できるようにすることで、ハイブリッドデバイスがパッシブデバイスとして機能し、安全な要素は、支払いトークンの検証および/または非接触型支払いトランザクション操作用に構成される。
【００６０】
本開示の別の態様によれば、それは、安全な無線支払いのためのバッテリレスアクティブおよびパッシブハイブリッドデバイスの構成プロセスフローを提供する。ハイブリッドデバイスは、安全な非接触支払いのために格納するのに適した少なくとも１つのセキュリティデバイスを含む。少なくとも1つのトークンの安全な要素。構成プロセスは次のとおりである。
【００６１】
ステップ1：トークンストラップまたはセキュリティ要素を備えたハイブリッドデバイスを、アクティブ化または充電されたトークン係留ピースの上に配置して、トークン係留ピースからワイヤレスで電力を受け取り、BLEユニットに電力を供給する。
【００６２】
ステップ2：スマートフォンでモバイルアプリケーションを起動し、トークンストラップとの標準BLEペアリングを完了して、支払いネットワークを介してトークンサービス構成要求を開始する。
【００６３】
ステップ3：モバイルアプリケーションは、グローバルプラットフォーム標準を介してSEと通信し、SEでの支払いトークンのパーソナライズされた設定を安全に完了する。
【００６４】
ステップ4：トークン係留からトークンストラップを取り外し、非電力のパッシブトークンストラップをNFC対応のPOS端末に配置する。これにより、トークンストラップのアンテナに電力が供給される。決済アプレットと通信するにはターミナルとのNFC非接触型決済トランザクションを完了する。
【００６５】
図４を参照すると、本開示の好ましい実施形態によるバッテリレスアクティブおよびパッシブハイブリッドデバイスのブロック図が示されている。ブロック図によれば、安全なワイヤレス支払いのためのハイブリッドデバイスは、保管に適した安全な要素１０２０を含む。少なくとも１つの安全な支払いアプレットと安全な非接触支払いのための少なくとも１つのトークンが、アクティブデータ構成ユニット／アクティブオペレーティングユニット１０１０およびパッシブオペレーティングユニット１０３０に動作可能に接続されている。この実施形態と図１および２に示される実施形態との違いは、その中のアクティブ動作ユニットが、安全要素と係合および取り外し可能に接続されるか、または取り外し可能／分離可能に適合されることが好ましいことである。例えば、アクティブなオペレーティングユニットは、動力伝達ユニットまたは動力伝達のためのインターフェース（例えば、外部USB電源/ソケット/ケーブルから電力を受け取るためのUSBインターフェース）と統合することができ、および/または安全装置と統合することができまない。エレメントおよびパッシブオペレーティングユニットは、ハイブリッドデバイス/フレキシブルボードに一緒に取り付けられるか、恒久的に接続される。
【００６６】
必要な動作要件およびさまざまな動作の条件に応じて、ハイブリッドデバイスはアクティブ状態とパッシブ状態の間で切り替え可能に構成される。アクティブ状態では、アクティブ動作ユニット１０１０は、必要に応じて、例えば、外部電源を介してアクティブ化および通電されるので、ハイブリッドデバイスは、アクティブデバイスとして機能することができ、高および高値を必要とする様々なタイプのデバイスに適している。安定した電力消費。この操作は、支払いカードの個人情報および/またはデバイスの支払いトークンを安全な要素に提供するのに特に適している。この点で、アクティブなオペレーティングユニットにより、ハイブリッドデバイスはエンドユーザーがサードパーティのアプリケーションをセキュアエレメントにインストールしてロードできるようにななる。
【００６７】
パッシブ状態では、アクティブオペレーティングユニットが非アクティブ化されるか、外部電源から分離され、パッシブオペレーティングユニットがアクティブ化/構成されて、ハイブリッドデバイスをパッシブデバイスとして使用し、比較的低いまたは一時的なものに適したものにすることができる。要件電力消費/電力のさまざまな操作は、安全な要素を介した支払いトークンの検証および/または非接触型支払いトランザクション操作に特に適している。パッシブデバイスで動作するように低いまたは瞬間的な操作電力を適合させて、スケジュールされたマッチングデバイスから取得できる。
【００６８】
図４に示される実施形態などのいくつかの実施形態では、アクティブ状態にあるとき、アクティブ動作ユニット１０１０は、電力伝達ユニット１０６０と動作可能に結合されることによって活性化され、電力伝達ユニットによって電力が供給されて、Ａ構成と相互作用する。専用機、安全な要素１０２０にデータを構成するための専用モジュールを備えたコンピュータ、または構成ユニットから安全な要素に支払いカードを構成するための無線データ通信用のスマートまたはモバイルデバイスなどのユニット個人情報、生体認証データ、健康データ、政府関連のセキュリティデータ、ハードウェア固有のデータ、および/またはデバイスの支払いトークン。
【００６９】
図４に示される実施形態などのいくつかの実施形態では、受動状態にあるとき、受動動作ユニット１０３０は、専用の機械端末などで支払いトランザクションユニット１０５０に動作可能に結合され、デバイスを有することによってアクティブ化される。セキュアエレメント１０２０と通信するための、非接触支払い取引のための専用モジュールであり、支払い取引ユニットによって無線で電力を供給されるコンピュータ、スマートまたはモバイルデバイスであるため、支払いトークンの検証および検証は、支払い取引ユニットで実行できる。安全な要素と支払いトランザクションユニットを介して/または非接触支払いトランザクション操作。
【００７０】
いくつかの実施形態では、アクティブな動作ユニットは、個人化情報および支払いトークン構成ユニットと結合し、ワイヤレスデータ通信を実行するように適合された第１のワイヤレス通信ユニットを含む。第１の無線通信ユニットは、要件を満たすことができるように、結合された電力伝達ユニット、好ましくはスーパーキャパシタから電力を受信および／または蓄積するように適合された電力受信ユニットおよび／または過渡電力貯蔵ユニットに動作可能に結合される。ハイブリッドデバイスの概要高い安定した動作電力での日常的および特定の動作。
【００７１】
いくつかの実施形態では、第１の無線通信ユニットは、ＷＩＦＩ、ＢＴおよび／またはＮＦＣをサポートする通信ユニットであり、好ましくは複数の接点（好ましくは２つまたは４つの接点）を備えたＢＬＥユニットであり、好ましくは防水および／または露出接点である。
【００７２】
いくつかの実施形態では、パッシブ動作ユニットは、支払いトランザクションユニットと結合して無線データ通信を実行するように適合され、アンテナユニットと動作可能に結合されて、結合された支払いトランザクションユニットからその動作電力を受け取る第２の無線通信ユニットを含む。支払いトランザクションデータとシグナル。
【００７３】
いくつかの実施形態では、第２の無線通信ユニットは、ＮＦＣ開始ユニットとして機能する支払いトランザクションユニットからその動作電力を引き出すように構成されたＮＦＣパッシブターゲットユニットとして機能するＮＦＣ対応通信ユニットである。
【００７４】
他の実施形態では、第１の無線通信ユニットおよび第２の無線通信ユニットは、ＮＦＣをサポートする両方または同じ通信ユニットであり、すなわち、第１の無線通信ユニットおよび構成ユニットは、両方ともアクティブモードＮＦＣ通信ユニットである。ポイントツーポイントモードが機能しる。これにより、2つのアクティブモードのNFC対応デバイスが相互に通信して、アドホックな方法で情報を交換できる。そのうちの1つは、データを待機している間、RF電界を非アクティブにする。
【００７５】
いくつかの実施形態では、アンテナユニットは、１０×３０ｍｍ、または好ましくは１０×２４ｍｍのサイズのアンテナを含む。このサイズは、支払いトランザクションユニットとの安定した信頼性の高いデータ通信にとって非常に望ましいものです。小型または小型のアンテナを使用する一部の従来技術のデバイスに見られるように、パッシブ性を確保するためにアンテナブースターと組み合わせる必要はない。正しい操作オペレーティングユニットの。アンテナのサイズが大きい場合、ハイブリッドデバイスは、手首、腰、または首に装着される従来の時計や宝石など、一部の従来のウェアラブルデバイスに統合されない場合がある。
【００７６】
いくつかの実施形態では、安全要素、アクティブ操作ユニット、およびパッシブ操作ユニットは、互いに動作可能に結合され、非平面または湾曲に容易に取り付けられるのに適した可撓性ボード／フレックスボードに取り付けられるように構成される。表面または湾曲した収容スペースへの挿入または埋め込みが容易;またはアクティブオペレーティングユニットは、外部の独立したユニットとして適合させ、曲げ可能なプレートに取り付ける代わりに、安全要素と取り外し可能に接続および/または電力伝達ユニットと統合することができる/ flexibleボード上。
【００７７】
ここで図５を参照すると、本開示の別の好ましい実施形態によるバッテリレスアクティブおよびパッシブハイブリッドデバイスのブロック図が示されている。ブロック図によれば、安全な無線支払いのためのハイブリッドデバイスは、安全な要素１２００を含み、安全な非接触型決済のために少なくとも1つの安全な支払いアプレットと少なくとも1つのトークンを格納するために適しており、BLEをサポートするパッシブデータ構成ユニット/アクティブオペレーティングユニットとNFCをサポートするパッシブオペレーティングユニットで動作可能です。
【００７８】
図５に示される実施形態などのいくつかの実施形態では、アクティブ動作ユニットは、取り外し可能に結合された電力伝送ユニットから電力を受け取るための複数の接点を含むＢＬＥユニット１１００であり、電力伝送ユニットは、ＵＳＢ電力である。 USB電力送信機を含む転送ユニット1600は、好ましくは、接続部材および/またはBLEユニットの接点と接触および/または連動するための固定またはロック部材を備えており、接続部材は、好ましくは、接続ピンまたはこれにより、ＢＬＥユニットに電力を供給して、構成ユニット、すなわち、図１に示されるスマートフォン１４００との無線データ通信を実行する。パッシブ動作ユニットは、ＮＦＣパッシブターゲットユニット１３００であり、これは、支払いトランザクションユニット、すなわち、ＰＯＳ端末１５００と動作可能に結合され、それによって無線で電力が供給され、支払いトランザクションユニットからその動作電力を引き出すように構成される。 ＮＦＣ開始ユニットとして、安全な要素１２００を介して支払いトランザクションユニットとの支払いトークン検証および／または非接触支払いトランザクション操作を実行するためである。
【００７９】
また、図５に示すハイブリッドデバイスでは、セキュアエレメント１２００、ＢＬＥユニット１１００、ＮＦＣパッシブターゲットユニット１３００が動作可能に結合され、フレキシブルボード／フレックスボード１７００に搭載されている。非平面または曲面に簡単に取り付けられるか、湾曲した収容スペースに簡単に挿入または埋め込むことができる。あるいは、ＢＬＥユニットは、可撓性プレートに固定的に取り付けられることなく、安全な要素に取り外し可能に接続されるように適合され、および／またはＢＬＥユニットは、以下でさらに詳述されるように、ＵＳＢ電力伝達ユニット１６００と統合され得る。
【００８０】
いくつかの実施形態では、ハイブリッドデバイスは、従来の時計のストラップまたはストラップバックルに取り付けられ、好ましくは埋め込まれる。ストラップまたはストラップバックルは、好ましくは、革またはプラスチックなどの非金属材料でできている。干渉を低減するために。ユーザーの時計の元のストラップまたはバックルを交換するために、非接触の支払い取引およびその他の該当する操作のために、ユーザーが従来の方法で時計を着用して使用できるようにすると同時に、時計の使用非接触支払い機能の新しい交換可能な部品が提供される。
【００８１】
図６は、本開示の好ましい実施形態による、バッテリレスアクティブおよびパッシブハイブリッドデバイスを使用する時計バンド６８００の概略図を示し、ここで、電力伝達ユニットは、一般にクリップであるUSB電力伝達ユニット６９００である。ピースまたは洗濯バサミの前部の形状。 USB電力伝達ユニットは、上部と下部を含み、これらは、長手方向軸に沿って下部の底部から延びる複数の接続ピンまたはフックに固定的に接続され、に提供される対応する接点と結合するように適合されている。ストラップ。 ＵＳＢ電力伝達ユニットは、ＢＬＥユニットの接点と接触および／またはインターロックするための少なくとも１つの固定またはロック部材（図示せず）をさらに含み得る。接点を介して受け取った電力は、直接電力を供給したり、アクティブなオペレーティングユニットをアクティブにしたり、ストラップに埋め込まれたハイブリッドデバイスのオプションの内部電源/バッテリーをアクティブにしたりするために使用される（たとえば、結合されたUSBユニットの電気接点の電気接続）は、MCUを含むアクティブなオペレーティングユニット、およびセキュアエレメントとNFCユニットに動作可能に接続されたBT / BLEユニットに電力を供給するために使用される。パッシブ状態にあるとき、パッシブユニットのアンテナは、外部支払いトランザクションユニットからその動作電力を無線で抽出して、セキュアエレメントおよびアンテナに動作可能に接続されたＮＦＣユニットを含むパッシブ動作ユニットに電力を供給する。
【００８２】
ここで図７を参照すると、本開示の別の好ましい実施形態による、バッテリレスアクティブおよびパッシブハイブリッドデバイスを使用する時計バンド７８００の概略図が示され、ここで、電力伝達ユニットは、ＵＳＢ電力伝達ユニット７９００であり、一般的には、クリップまたは洗濯ばさみのフロントエンド部分の形であり、BLEユニットおよびMCUを含むアクティブなオペレーティングユニットと統合されている。この時点で、アクティブ操作ユニットと安全要素は取り外し可能に接続され、安全要素とパッシブ操作ユニットのみが曲げ可能なプレートに取り付けられ、ストラップに埋め込まれる。この構成は大幅に簡素化される。レイアウト/配線時計ストラップなどのウェアラブルデバイスに取り付けられ、埋め込まれているハイブリッドデバイスの隠された部分または隠された部分の図とデザイン。
【００８３】
同様に、USB電力伝達ユニットは、上部と下部を含み、これらは、長手方向軸に沿って下部の下部から延びるように固定接続され、時計バンドに取り付けられるように、および／または安全要素を備え、受動部品。操作ユニットのフレキシブルボード上の対応する接点に結合された複数の接続ピンまたはフック。 ＵＳＢ電力伝達ユニットは、安全要素およびＮＦＣユニットに動作可能に接続された接触部品と接触および／またはインターロックするための少なくとも１つの固定またはロック部材（図示せず）をさらに含み得る。接続ピンと接点の間の結合は、支払いカードの個人情報および/またはデバイスの支払いトークンを、外部のアクティブなオペレーティングユニットを介してセキュアエレメントに構成するのに適している。コンタクトピースは、外部のアクティブな操作ユニットと安全要素の間の電力伝達とデータ通信を可能にするように適合されている。この実施形態では、４つの接点があり、データおよび電力信号を同時に送信して、アクティブな動作ユニットおよびセキュリティ要素の動作を容易にすることができる。パッシブ状態の場合、アンテナは、セキュアエレメントとアンテナに動作可能に接続されたNFCユニットを含むパッシブオペレーティングユニットに電力を供給するために、外部支払いトランザクションユニットからワイヤレスでその動作電力を抽出する。
【００８４】
いくつかの実施形態では、時計バンドおよび／またはフレキシブルボードは、追加の機能を構成するのに適した１つまたは複数のオプションの第２の接点を含む。たとえば、オプションの2番目の接点の1つは、必要に応じてオペレーティングシステム/セキュアエレメントのカーネルのホットまたはコールドリスタート/リセットを可能にするリセット接点です。これに関して、動力伝達ユニットはまた、関連する追加機能を達成するために対応する第２の接点と電子的に接続されるように適合された１つまたは複数のオプションの第２の接続ピンまたはフックを含む。
【００８５】
図８を参照すると、本開示の別の好ましい実施形態による、バッテリレスアクティブおよびパッシブハイブリッドデバイスのブロック図が示されている。ハイブリッドデバイスは、さまざまなセキュリティアプリケーション/操作/通信ハイブリッドデバイスに適しており、さまざまなセキュリティアプリケーション/操作用の少なくとも1つのセキュリティアップルトと少なくとも1つのセキュリティ非接触データセグメント/メモリを格納するのに適したセキュリティ要素11020を含む。データトランザクション／交換のために、アクティブオペレーティングユニット１１０１０およびパッシブオペレーティングユニット１１０３０に動作可能に接続されている。この実施形態は、構造、動作、および機能の点で、図４に示される実施形態と同様である。この実施形態と図１〜２および４〜５に示される実施形態との主な違いは、１つまたは複数の生体認証リーダーを含む、ユーザ識別の二次認証または生体認証のための生体認証ユニット１１０８も含むことである。指紋、手のひら/指の静脈パターン、音声パターン、顔認識、DNA、掌紋、手の形状、虹彩認識、および/または網膜などの関連する生体認証データの読み取り、書き込み、および/または処理。生体測定ユニット１１０８は、好ましい受動デバイスであり、図に示されるように、安全な要素１１０２、能動動作ユニット１１０１０、および受動動作ユニット１１０３０と動作可能に接続されている。明らかに、生体認証ユニットはまた、同様の方法で組み込まれ、上記のすべての実施形態で使用され得る。
【００８６】
さらに、この実施形態のハイブリッドデバイスは、無線支払いに適しているだけでなく、様々なセキュリティアプリケーション／操作で使用される無線データトランザクション／通信にも適している。アクティブ状態で動作するセキュリティ要素は、支払いカード情報と支払いトランザクショントークンを構成できるだけでなく、生体データ、健康データ、ハードウェア固有のデータ、および/または政府関連のセキュリティデータも構成できるためである。この点で、ハイブリッドデバイスは、少なくとも自動車や医療システム用のスマートリモートキーシステムなどのさまざまなアクセス制御システムにも適用できる。
【００８７】
いくつかの実施形態では、アクティブ状態で動作するハイブリッドデバイスまたはセキュアエレメントは、構成ユニット１１０４０およびアクティブ操作ユニット１１０１０を介して、許可されたユーザ／人の個人化情報および／または生体認証データで構成され、アクセス制御を含む。システムのセキュリティアップルト。動作中、パッシブ状態で動作するハイブリッドデバイスは、アクセス制御システムのアクセスカードまたはＩＤバッジとして機能し、パッシブ動作ユニット１１０３０は、カードリーダーまたは専用の無線データトランザクションユニット１１０５０からその動作電力を取得する。アクセス制御システムのカードリーダーの役割を果たし、セキュリティアップルトをアクティブにし、アクセス制御システムのワイヤレス通信を使用してユーザーの身元を確認する。検証結果が肯定的である場合、アクセス制御システムによって制御される各ドアが開かれる。アクセス制御システムが二次認証または生体認証データを必要とする場合、パッシブ状態で動作するセキュリティ要素またはセキュリティアップルトは、生体認証ユニットによって提供されるユーザーの生体認証データを受信および/または処理し、元のまたは処理された生体認証データをそのセキュリティを確保するためのアクセス制御システム。
【００８８】
いくつかの実施形態では、アクティブ状態で動作するハイブリッドデバイスまたはセキュリティ要素は、ハードウェア固有のデータ（車の起動および正しい操作のための車内の１つまたは複数のスマートキーシステムのスマートキーデータなど）を提供し、および／またはバイオメトリックを構成する構成ユニット１１０４０およびアクティブな操作ユニット１１０１０を介した、自動車の対応するスマートキーシステムの許可された人／運転者およびセキュリティアップルのデータ。動作中、パッシブ状態で動作するハイブリッドデバイスは、車に埋め込まれた、または取り付けられたスマートキーまたはリモコンとして機能する。パッシブ動作ユニット１１０３０は、キーリーダーまたは専用の無線データトランザクションユニット１１０５０からその動作電力を取得し、このユニットは、スマートキーシステムのキーリーダーとして機能する。たとえば、車のセキュリティアプレットがアクティブになり、車のキーシステムとワイヤレスで通信して、ドライバーの身元を確認する。検証結果が肯定的である場合、スマートキーシステムによって制御されるさまざまなコンポーネントがアクティブ化される。スマートキーシステムが補助認証または生体認証データを必要とする場合、パッシブ状態で動作するセキュリティ要素またはセキュリティアップルトは、生体認証ユニットによって提供されるユーザーの生体認証データを受信および/または処理し、元の生体認証データまたは処理された生体認証データをワイヤレスで転送する。その安全性と通常の操作を保証するためにスマートキーシステムに与えられる。
【００８９】
いくつかの実施形態では、アクティブ状態で動作するハイブリッドデバイスまたはセキュリティ要素は、構成ユニット１１０４０およびアクティブ動作ユニット１１０１０を介してスマート医療システムに登録された参加者／患者の健康データおよび／または生体測定データを提供し、セキュリティ医療システムで使用するように構成されたアプレット。健康データには、体調データ、病歴データ、以前の治療または診断の過去の処方データなどが含まれる。動作中、受動状態で動作するハイブリッドデバイスは、スマート医療カードまたは医療システムの個人識別のためのスマートカードとして機能し、受動動作ユニット１１０３０は、カードリーダーまたは専用の無線データトランザクションユニット１１０５０からそれを取得する。動作電力は、スマート医療システムのカードリーダーの役割を果たし、セキュリティアプレットをアクティブにして、スマート医療システムとワイヤレスで通信し、患者の身元を確認できるようにする。検証結果が肯定的である場合、医療スタッフは患者の病歴などの情報を取得できる。スマート医療システムが二次認証または生体認証データを必要とする場合、パッシブ状態で動作するセキュリティ要素またはセキュリティアプレットは、生体認証ユニットによって提供される参加者/患者の生体認証データを受信および/または処理し、元のまたは生体認証データをインテリジェント医療システムに処理して、安全性と正常な動作を確保する。
【００９０】
いくつかの実施形態では、アクティブ状態で動作するハイブリッドデバイスまたはセキュリティ要素は、政府関連のセキュリティデータおよび／または構成ユニット１１０４０およびアクティブ動作ユニット１１０１０データを通じて政府によって管理される市民または居住者の生体認証で構成される。一緒に使用するように構成されたセキュリティアプレット。政府関連のセキュリティデータには、IDカード、パスポートデータ、入国管理または旅行記録データ、連絡先情報データ、または運転免許証データが含まれる。動作中、パッシブ状態で動作するハイブリッドデバイスは、政府によって提供される様々なスマートシステムまたはサービスによって要求される個人識別のためのスマートＩＤカードとして機能し、パッシブ動作ユニット１１０３は、受信するか、または専用ワイヤレスデータトランザクションユニット１１０５０がその動作を取得する。電源、カードリーダーの役割を果たし、セキュリティアップルトをアクティブ化できるようにし、スマートシステムとワイヤレスで通信して個人の身元を確認する。検証結果が肯定的である場合、政府が提供するさまざまなインテリジェントシステムまたはサービスをアクティブ化できる。スマートシステムまたはサービスが補助認証または生体認証データを必要とする場合、パッシブ状態で動作するセキュリティ要素またはセキュリティアプレットは、生体認証ユニットによって提供される参加者/患者の生体認証データを受信および/または処理し、ワイヤレスでローカルに転送する安全性と通常の操作を保証するために、元のまたは処理された生体認証データをインテリジェントシステムに送信する。
【００９１】
ハイブリッドデバイスは、さまざまな動作要件および条件に応じて、アクティブ状態とパッシブ状態を切り替えるように構成されている。アクティブ状態では、アクティブ動作ユニット１１０１０がアクティブ化され、例えば外部電源によって電力が供給されるため、ハイブリッドデバイスは、比較的高く安定した電力を必要とする様々な動作に適したアクティブデバイスとして使用することができる。特にセキュア要素の消費は、1つ以上の個人情報データ、生体認証データ、健康データ、政府関連のセキュリティデータ、ハードウェア固有の識別データ、および/またはデバイストークンの操作を提供する。この点で、アクティブなオペレーティングユニットにより、ハイブリッドデバイスは、エンドユーザーがサードパーティのアプリケーションとアプリケーション固有のデータを安全な要素にインストールしてロードできるようになる。
【００９２】
パッシブ状態では、アクティブオペレーティングユニットが非アクティブ化されるか、外部電源にリンクされなくなる。次に、パッシブオペレーティングユニットがアクティブ化/構成され、ハイブリッドデバイスをパッシブデバイスとして使用できるようになる。比較的一時的なものに適している低消費電力要件のさまざまな操作、または安全な要素を介したデータ検証および/または非接触データトランザクション操作。パッシブデバイスの電力での作業に適した所定のマッチングデバイスから、より低い瞬時操作を抽出できる。
【００９３】
図８に示される実施形態などのいくつかの実施形態では、アクティブ状態にあるとき、アクティブ動作ユニット１１０１０は、電力伝送ユニット１１０６０の電源によってアクティブ化され、構成するために、それと動作可能に組み合わされて、ユニットが無線データを実行する。例えば、専用モジュールを備えた専用のマシン、コンピュータ、スマートまたはモバイルデバイスとしての通信であり、データを安全な要素１１０２０に構成するため、または個人化情報などを提供するために使用される、および／またはデバイスのトークンを安全な場所に提供する。構成要素セキュリティ要素からの要素11020。
【００９４】
図８に示される実施形態などのいくつかの実施形態では、受動状態にあるとき、データトランザクションユニット１１０５０（専用のマシン端末、コンピュータ、非接触型決済トランザクションのための安全な要素１１０２０を備えたデバイスなど）。専用モジュール（インテリジェントまたはモバイルデバイス）の供給、またはそれと動作可能に組み合わせると、パッシブオペレーティングユニット11030をアクティブ化でき、それにより、セキュアエレメントを介した支払いトランザクションユニットとのデータ検証および/または非接触データトランザクション操作が可能になる。
【００９５】
ここで図９を参照すると、本開示の別の好ましい実施形態による、バッテリレスのアクティブおよびパッシブハイブリッドデバイスのブロック図が示されている。ハイブリッドデバイスによれば、それは様々なセキュリティアプリケーション／操作／通信に適しており、様々なセキュリティアプリケーション／操作のための少なくとも１つの安全なリンゴを格納するのに適した安全な要素１１２００、および安全な非接触データトランザクションのための少なくとも１つのデータを含む。交換され、BLE対応のアクティブオペレーティングユニットおよびNFC対応のパッシブ接続と動作可能に接続されているセグメント/メモリ。この実施形態は、構造、動作、および機能の点で図５に示される実施形態と類似している。この実施形態と図１〜２および図４〜５に示される実施形態との主な違いは、アイデンティティも含む。二次または生体認証生体認証ユニット11800。これには、指紋、手のひら/指静脈パターン、音声パターン、顔認識、DNA、掌紋などの関連する生体認証データを読み取り、書き込み、および/または処理するための1つ以上の生体認証リーダー/センサーが含まれる。手の形状、虹彩認識、網膜、シグネチャダイナミクス、および/または顔検出。図に示すように、生体認証ユニット１１８００および安全要素１１２００は、ＢＬＥユニット１１１００およびＮＦＣターゲットユニット１１３００に動作可能に接続されている。明らかに、生体認証ユニットはまた、同様の方法で組み込まれ、上記のすべての実施形態で使用され得る。
【００９６】
図９に示される実施形態などのいくつかの実施形態では、アクティブ動作ユニットは、取り外し可能に結合された送信機から電力を受信するための複数の接点を含むＢＬＥユニット１１１００であり、電力送信ユニットは、ＵＳＢ電力送信である。 USB電力送信機を含むユニット１１６０は、好ましくは、接続ピンまたはフックなどの接続部材、および／またはＢＬＥユニットの接点と接触および／またはインターロックするための固定またはロック部材を備えている。 ＢＬＥに提供され、構成ユニット、すなわち、図９に示されるようなスマートフォン１１４００との無線データ通信に使用される。パッシブオペレーティングユニットは、ＮＦＣパッシブターゲットユニット１１３００であり、支払いトランザクションユニット（すなわち、ワイヤレスデータトランザクション端末１１５００）でワイヤレスで動作可能に電力を供給され、ＮＦＣ開始として支払いトランザクションユニットからその動作電力を取得するように構成される。ユニット、セキュアエレメント11200を介してデータトランザクション端末でデータ検証および/または非接触データトランザクション操作を実行する。
【００９７】
また、図９に示すハイブリッド装置では、セキュアエレメント１１２０、ＢＬＥユニット１１１００、ＮＦＣパッシブターゲットユニット１１３００が動作可能に組み合わされて、フレキシブルボード１１７００に搭載されている。非平面または曲面への取り付けおよび/または湾曲した受け入れスペースへの挿入または埋め込みが容易。いくつかの実施形態では、生体認証ユニット１１８００はまた、安全な要素１１２００、ＢＬＥユニット１１１００、およびＮＦＣパッシブターゲットユニット１１３００と動作可能に結合され、それらと共に可撓性ボード１１７００に取り付けられる。あるいは、ＢＬＥユニットは、可撓性ボードに固定的に取り付けられることなく、安全な要素に取り外し可能に接続されるように適合され、および／またはＢＬＥユニットは、前述の実施形態と同様に、ＵＳＢ送電ユニット１１６００と組み合わせることができる。
【００９８】
いくつかの実施形態では、ハイブリッドデバイスは、ベルトまたはバックルに取り付けられ、好ましくは、その干渉を低減するために、好ましくは革またはプラスチックなどの非金属材料で作られたベルトまたはバックルに埋め込まれる。その結果、従来の時計は、非接触データトランザクションや、生体データ、健康データ、ハードウェア固有のデータ、政府関連のセキュリティデータを使用したその他の該当する操作のために、ユーザーの時計の元のストラップやバックルに取って代わる。時計の新しい交換可能な部分によって提供される非接触の安全なデータ通信/処理機能の恩恵を受けながら、従来の方法で使用および監視する。
【００９９】
図１０ａ〜１０ｂを参照すると、本開示の好ましい実施形態による、バッテリレスアクティブおよびパッシブハイブリッドデバイスによって使用される一般的なパッシブ構成ユニットまたはアクティブ動作ユニットの概略図が示され、アクティブ動作ユニットおよび電力ユニットおよび/または動力伝達のためのインターフェースは、基本的にクリップ/クリップまたは洗濯ばさみの前部の形をとり、さまざまな形およびサイズを提供するのに適したユニバーサルパッシブ構成ユニットを形成するために1つの本体に結合される。マッチングおよび互換性のあるスマートウェアラブルデバイスの種類（上記のさまざまなサイズのリストバンドまたはウォッチバンドなど）。この実施形態における電力伝送のための電力伝送ユニット／インターフェースは、ＵＳＢ電力送信機またはＵＳＢインターフェース／ケーブルであり、それらの端部は、それぞれ、ＵＳＢ電源ソケット（スマートフォンの電源ソケットなど）に接続されている。モバイルデバイス、コンピュータなど）および一般的なパッシブ構成ユニットの近位端（図の右端など）および近位端（図の右端など）。ユニバーサルパッシブ構成ユニットには、BLEコントローラー/ユニットとMCUに動作可能に接続されたISO7816タイプのAPDUドライバー/リーダーユニットが含まれ、5つの接続ピン（つまり、VCC、CLK、RST）、GNDなどの複数の接続ピンとIOがある。図10aに示すように、ピンは、セキュリティ要素と、スマートウェアラブルデバイスに埋め込まれている、または取り付けられているパッシブフレキシブルボードに取り付けられているNFCユニットとの取り外し可能な接続と通信を実現するために使用される。図10aに示すように、5つの接点。ユニバーサルパッシブ構成ユニットの接続ピンは、5つの接点との結合または結合に適しており、1つ以上の個人情報データ、生体認証データ、健康データ、政府関連の安全データ、ハードウェア固有のデータ、および/または保護するトークンデバイスを提供する。素子。供給プロセスが終了すると、ユニバーサルパッシブ構成ユニットがフレキシブルボードから分離されるため、パッシブフレキシブルボードは、専用端末または従来のPOS端末を介したデータ検証および/または非接触データトランザクション操作に適している。安全な要素。
【０１００】
図１０ｂに示されるように、ユニバーサルパッシブ構成ユニットは、基本的にクリップ／クリップまたは洗濯ばさみの前面形態であり、様々な形態およびサイズの様々なマッチングおよび互換性のあるスマートウェアラブルデバイス（リストバンドまたは上記のような）を提供するのに適している。説明および図に示されているさまざまなサイズの時計バンド）は、図6〜7に示されている送電ユニットと外観が類似しており、近位端と遠位端に平坦な部分がある下部も含まれている。電力および信号伝送のために複数の接続部材が設けられている端部のくぼんだ部分。上部は下部にヒンジで固定でき、開位置/状態を切り替えることができるように構成されている。それらの中で、その近位端は、下部の近位端に接触し、遠位端からの分離を引き起こすように構成される。下部の一端は接続部材とくぼみ部分に近接しているので、その小さな部分は、安全性を含む受動部材（上記で図１０ｂに示されるようなリストバンドまたは時計バンドなど）を受け入れる。要素および対応する外部で係合可能な安全要素。電力およびデータの転送または操作に適したパッシブ操作ユニット。たとえば、個人情報データ、生体データ、健康データ、政府関連のセキュリティデータ、ハードウェア固有の識別データ、および/またはデバイストークン操作を提供するために使用される。閉位置／状態（図１０ｂに示されるように）、ここで、遠位端は下部の遠位端に接触するように構成され、近位端構造は下部の近位端から切り離され、その結果、接続部材は係合した受動部品は、上部と下部の間に挟まれ、上部と下部によってロックされて、それらの間の電力およびデータの送信または動作を容易にする。図からわかるように、幅方向に延びるオプションの突起は、上部の下側に配置され、下部に配置された接続部材と同じ位置に配置され、オプションとして機能する。固定またはロック部材。図10bに示すように、ユニバーサルパッシブ構成ユニットとパッシブコンポーネント間のジョイントを促進または固定するために使用される。電源とデータの送信または操作（構成操作など）が完了したら、上部をヒンジで固定するか、開位置/状態に切り替えることができる。また、付属のパッシブメンバーを埋め込み部分から取り外して、通過できるように準備して構成することができる。安全要素専用端末またはNFCPOS端末などの従来の端末を使用して、データ検証および/または非接触データトランザクション操作を実行しる。
【０１０１】
本開示は、特定の実施形態に基づいて説明されてきたが、当業者は、本開示の範囲から逸脱することなく、様々な修正および同等物を行うことができることを認識するであろう。さらに、本発明の範囲から逸脱することなく、本開示の特定の状況または構成要素に適応するために、本開示に多くの修正を加えることができる。したがって、本開示は、本明細書に開示される特定の実施形態に限定されず、特許請求の範囲に含まれるすべての実施形態を含むべきである。
【図１】
2021534529.tif 000003
【図２】
2021534529.tif 000004
【図３】
2021534529.tif 000005
【図４】
2021534529.tif 000006
【図５】
2021534529.tif 000007
【図６】
2021534529.tif 000008
【図７】
2021534529.tif 000009
【図８】
2021534529.tif 000010
【図９】
2021534529.tif 000011
【図１０ａ】
2021534529.tif 000012
【図１０ｂ】
2021534529.tif 000013
【国際調査報告】
2021534529.tif 000014
2021534529.tif 000015